(57)【要約】【課題】使い勝手や操作性のより高い電子辞書システムを提供する。【解決手段】電子辞書１０により生成された履歴データと単語帳データを、携帯型表示装置３０に送信してその記憶装置に記憶させ、当該携帯型表示装置３０において、その記憶装置に記憶された履歴データの各見出し語（単語）とその説明情報を順番に読み出して表示し、また、同記憶装置に記憶された単語帳データの各見出し語（単語）とその説明情報とを順番に読み出して表示する。そして、前記単語帳データの各見出し語については、当該見出し語やその説明情報と共に表示されるチェックボックスに対して、例えばユーザによって覚えたか否かに応じてチェックマークを入力したり消去したりでき、該当するチェックデータを変更した単語帳データを、前記電子辞書１０に戻して元の単語帳データのチェックデータを更新できる。【選択図】図１
2015103185.tif 000002
【特許請求の範囲】
【請求項１】
電子辞書と当該電子辞書と通信可能な携帯型表示装置からなる電子辞書システムであって、
前記電子辞書は、
見出し語とその説明情報とを対応付けた辞書データを記憶する辞書記憶手段と、
ユーザ操作に応じて前記辞書データの見出し語を検索した際に当該検索された見出し語の履歴データを記憶する履歴データ記憶手段と、
ユーザによって選択された見出し語と当該見出し語に対する確認データとを対応付けた単語帳データを記憶する単語帳データ記憶手段と、
前記履歴データ記憶手段により記憶された履歴データと前記単語帳記憶手段により記憶された単語帳データとを前記携帯型表示装置に送信するデータ送信手段とを備え、
前記携帯型表示装置は、
前記電子辞書のデータ送信手段により送信された履歴データと単語帳データとを受信して記憶するデータ記憶手段と、
このデータ記憶手段により記憶された履歴データをユーザ操作に応じて表示部に表示させる履歴表示制御手段と、
前記データ記憶手段により記憶された単語帳データをユーザ操作に応じて表示部に表示させる単語帳表示制御手段と、
この単語帳表示制御手段により前記表示部に表示された単語帳データの見出し語を対象にユーザ操作に応じて当該見出し語に対する前記確認データを変更する確認データ変更手段と、
前記データ記憶手段により記憶された単語帳データを前記確認データ変更手段により変更された前記確認データを反映させた状態で前記電子辞書に送信する単語帳データ戻し手段とを備えた、
ことを特徴とする電子辞書システム。
【請求項２】
前記電子辞書は、
前記携帯型表示装置の単語帳データ戻し手段により送信された単語帳データを受信し当該受信された単語帳データに応じて前記単語帳記憶手段に記憶された単語帳データを更新する単語帳更新手段を備えた、
ことを特徴とする請求項１に記載の電子辞書システム。
【請求項３】
前記電子辞書のデータ送信手段は、前記履歴データ記憶手段により記憶された履歴データと前記単語帳記憶手段に記憶された単語帳データとを通信対象としてユーザに選択させる通信選択手段を有し、この通信選択手段により選択されたデータを前記携帯型表示装置に送信する、
ことを特徴とする請求項１または請求項２に記載の電子辞書システム。
【請求項４】
前記電子辞書の履歴データ記憶手段は、ユーザ操作に応じて前記辞書データの見出し語を検索した際に当該検索された見出し語の履歴データを時間情報に対応付けて記憶し、
前記データ送信手段により前記履歴データ記憶手段に記憶された履歴データを前記携帯型表示装置に送信した際に、その送信済みの履歴データに対応付けられた前記時間情報を当該送信済みの時間情報として更新する送信済み更新手段を備え、
前記データ送信手段は、前記履歴データ記憶手段に記憶された履歴データを送信する際に、前記送信済み更新手段により送信済みとして更新された時間情報より後の時間情報に対応付けられた履歴データを前記携帯型表示装置に送信する、
ことを特徴とする請求項３に記載の電子辞書システム。
【請求項５】
携帯型表示装置と通信可能な電子辞書であって、
見出し語とその説明情報とを対応付けた辞書データを記憶する辞書記憶手段と、
ユーザ操作に応じて前記辞書データの見出し語を検索した際に当該検索された見出し語の履歴データを記憶する履歴データ記憶手段と、
ユーザによって選択された見出し語と当該見出し語に対する確認データとを対応付けた単語帳データを記憶する単語帳記憶手段と、
前記履歴データ記憶手段により記憶された履歴データと前記単語帳記憶手段により記憶された単語帳データとを前記携帯型表示装置に送信するデータ送信手段と、
を備えたことを特徴とする電子辞書。
【請求項６】
ユーザ操作に応じて辞書データの見出し語を検索した際に当該検索された見出し語の履歴データを記憶する履歴データ記憶手段と、ユーザによって選択された見出し語と当該見出し語に対する確認データとを対応付けた単語帳データを記憶する単語帳記憶手段と、前記履歴データ記憶手段により記憶された履歴データと前記単語帳記憶手段により記憶された単語帳データとを有する電子辞書と通信可能な携帯型表示装置であって、
前記電子辞書から送信された履歴データと単語帳データとを受信して記憶するデータ記憶手段と、
このデータ記憶手段により記憶された履歴データをユーザ操作に応じて表示部に表示させる履歴表示制御手段と、
前記データ記憶手段により記憶された単語帳データをユーザ操作に応じて表示部に表示させる単語帳表示制御手段と、
この単語帳表示制御手段により前記表示部に表示された単語帳データの見出し語を対象にユーザ操作に応じて当該見出し語に対する確認データを変更する確認データ変更手段と、
前記データ記憶手段により記憶された単語帳データを前記確認データ変更手段により変更された前記確認データを反映させた状態で前記電子辞書に送信する単語帳データ戻し手段と、
を備えたことを特徴とする携帯型表示装置。
【請求項７】
ユーザ操作に応じて辞書データの見出し語を検索した際に当該検索された見出し語の履歴データを記憶する履歴データ記憶手段と、ユーザによって選択された見出し語と当該見出し語に対する確認データとを対応付けた単語帳データを記憶する単語帳記憶手段とを有する電子辞書と通信可能な電子機器のコンピュータを制御するためのプログラムであって、
前記コンピュータを、
前記電子辞書から送信された履歴データと単語帳データとを受信して記憶部に記憶するデータ記憶手段、
このデータ記憶手段により記憶された履歴データをユーザ操作に応じて表示部に表示させる履歴表示制御手段、
前記データ記憶手段により記憶された単語帳データをユーザ操作に応じて表示部に表示させる単語帳表示制御手段、
この単語帳表示制御手段により前記表示部に表示された単語帳データの見出し語を対象にユーザ操作に応じて当該見出し語に対する確認データを変更する確認データ変更手段、
前記データ記憶手段により記憶された単語帳データを前記確認データ変更手段により変更された前記確認データを反映させた状態で前記電子辞書に送信する単語帳データ戻し手段、
として機能させるためのコンピュータ読み込み可能なプログラム。
【発明の詳細な説明】
【技術分野】
【０００１】
本発明は、電子辞書と携帯型表示装置からなる電子辞書システム、およびその電子辞書、携帯型表示装置、携帯型表示装置の制御プログラムに関する。
【背景技術】
【０００２】
近年、紙の書籍の辞書に代わり、利便性や携帯性が良いことから電子辞書が多用されている。この電子辞書は、多様な辞書をデータベースとして備えるだけでなく、多機能化しており、その機能として履歴機能や単語帳機能がある。
【０００３】
前記履歴機能では、検索した単語（見出し語）を履歴データとして自動的に保存することで、その後において、ユーザが過去に調べた単語を前記履歴データから簡単に読み出して再確認できる。
【０００４】
また、前記単語帳機能では、覚えたい単語を単語帳データとして保存し、この単語帳データに保存された単語を、紙の単語帳のようにその単語と訳とで切り換えて表示することで、簡単に所望の単語を学習できる。
【０００５】
従来の電子辞書であって、前記単語帳機能と履歴（ヒストリ）機能を備えたものがある（例えば、特許文献１参照。）。
【０００６】
また、電子辞書と別体の携帯型表示装置に当該電子辞書から辞書のデータを取り込み、その携帯型表示装置によって、取り込んだ辞書のデータをユーザの手元で表示させたり、発音の音声をイヤホンから出力させたりすることで、携帯性良く単語を学習できる電子辞書装置も考えられている（例えば、特許文献２参照。）。
【０００７】
また、単語やその意味を順次その文字列のイメージデータとして取り込み、この取り込まれた各イメージデータを、ユーザ操作に応じて順番に読み出して表示させることで、簡単に所望の単語を学習できる自己テスト学習機も考えられている（例えば、特許文献３参照。）。
【先行技術文献】
【特許文献】
【０００８】
【特許文献１】特開２００５−２９２３０３号公報
【特許文献２】特開２００９−２６６０２４号公報
【特許文献３】特開平０８−８３０３９号公報
【発明の概要】
【発明が解決しようとする課題】
【０００９】
従来、携帯型の表示装置に辞書のデータを取り込んだり、所望の単語のイメージデータを取り込んだりした後に、当該取り込んだデータの各単語を読み出して表示させることで、容易に単語を学習することが考えられている。
【００１０】
しかしながら、前記携帯型の表示装置において、単に外部から学習対象のデータを取り込んで表示させるだけでなく、電子辞書と携帯型表示装置との間での使い勝手や操作性をもっと高めたい要望がある。
【００１１】
本発明は、このような課題に鑑みなされたもので、使い勝手や操作性のより高い電子辞書システム、およびその電子辞書、携帯型表示装置、携帯型表示装置の制御プログラムを提供することを目的とする。
【課題を解決するための手段】
【００１２】
本発明に係る電子辞書システムは、電子辞書と当該電子辞書と通信可能な携帯型表示装置からなる電子辞書システムであって、
前記電子辞書は、見出し語とその説明情報とを対応付けた辞書データを記憶する辞書記憶手段と、ユーザ操作に応じて前記辞書データの見出し語を検索した際に当該検索された見出し語の履歴データを記憶する履歴データ記憶手段と、ユーザによって選択された見出し語と当該見出し語に対する確認データとを対応付けた単語帳データを記憶する単語帳データ記憶手段と、前記履歴データ記憶手段により記憶された履歴データと前記単語帳記憶手段により記憶された単語帳データとを前記携帯型表示装置に送信するデータ送信手段とを備え、
前記携帯型表示装置は、前記電子辞書のデータ送信手段により送信された履歴データと単語帳データとを受信して記憶するデータ記憶手段と、このデータ記憶手段により記憶された履歴データをユーザ操作に応じて表示部に表示させる履歴表示制御手段と、前記データ記憶手段により記憶された単語帳データをユーザ操作に応じて表示部に表示させる単語帳表示制御手段と、この単語帳表示制御手段により前記表示部に表示された単語帳データの見出し語を対象にユーザ操作に応じて当該見出し語に対する前記確認データを変更する確認データ変更手段と、前記データ記憶手段により記憶された単語帳データを前記確認データ変更手段により変更された前記確認データを反映させた状態で前記電子辞書に送信する単語帳データ戻し手段とを備えた、
ことを特徴としている。
【発明の効果】
【００１３】
本発明によれば、使い勝手や操作性のより高い電子辞書システム、およびその電子辞書、携帯型表示装置、携帯型表示装置の制御プログラムを提供できる。
【図面の簡単な説明】
【００１４】
【図１】本発明の実施形態に係る電子辞書システムの外観構成を示す図。
【図２】前記電子辞書システムにおける電子辞書１０の電子回路の構成を示すブロック図。
【図３】前記電子辞書システムにおける携帯型表示装置３０の電子回路の構成を示すブロック図。
【図４】前記電子辞書１０の辞書データベース２２ｂに記憶された英和辞典の内容を示す図。
【図５】前記電子辞書１０に記憶された履歴データ２２ｃの内容を示す図。
【図６】前記電子辞書１０に記憶された単語帳データ２２ｄの内容を示す図。
【図７】前記電子辞書１０の単体での処理を示すフローチャート。
【図８】前記電子辞書１０の前記携帯型表示装置３０との通信接続に伴う処理を示すフローチャート。
【図９】前記電子辞書１０の単体での処理に伴う説明情報表示画面Ｇ１を示す図。
【図１０】前記電子辞書１０の単体での処理に伴う単語帳表示画面Ｇ２を示す図。
【図１１】前記電子辞書１０において前記携帯型表示装置３０との通信処理に伴い表示されるメニュー画面を示す図。
【図１２】前記携帯型表示装置３０の前記電子辞書１０との通信接続に伴う処理を示すフローチャート。
【図１３】前記携帯型表示装置３０の単体での処理を示すフローチャート。
【図１４】前記携帯型表示装置３０の記憶装置４２に記憶された履歴データ４２ｃの表示動作を示す図。
【図１５】前記携帯型表示装置３０の記憶装置４２に記憶された単語帳データ４２ｄの表示動作を示す図。
【図１６】前記電子辞書１０に記憶された他の実施形態の履歴データ２２ｃ´の内容を示す図。
【図１７】前記電子辞書１０の前記携帯型表示装置３０との通信接続に伴う他の実施形態の処理を示すフローチャート。
【発明を実施するための形態】
【００１５】
以下図面により本発明の実施の形態について説明する。
【００１６】
図１は、本発明の実施形態に係る電子辞書システムの外観構成を示す図である。
【００１７】
この電子辞書システムは、電子辞書１０と当該電子辞書１０と相互に通信可能な携帯型表示装置３０からなる。以下この携帯型表示装置３０を電子単語帳３０と称して説明する。
【００１８】
前記電子辞書１０は、以下に説明する電子辞書専用の携帯機器として構成されるか、辞書機能を備えたタッチパネル式のＰＤＡ(personal digital assistants)、ＰＣ(personal computer)、携帯電話、電子ブック、携帯ゲーム機等として構成される。
【００１９】
この電子辞書１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー、辞書指定キー、［決定］キー、［戻る］キー、カーソルキーなどを備えたキー入力部１４、タッチパネル式サブ表示部１５、音声出力部１６が備えられる。
【００２０】
前記タッチパネル式サブ表示部１５は、ユーザがペンや指等でタッチした位置を検出するタッチ位置検出装置と表示装置が一体となった構造であり、前記キー入力部１４の中央手前側においてバックライト付きカラー液晶表示画面１５ｄに透明タッチパネル１５ｔを重ねて構成される。このサブ表示部１５は、必要に応じて、手書き文字を入力するための手書き文字入力領域、各種機能のキー入力領域、あるいは当該各領域が混在する領域に切り替えられる。
【００２１】
また前記蓋体ケース１２の表面には、そのほぼ全面を対象にバックライト付きのタッチパネル式メイン表示部１７が設けられる。
【００２２】
前記タッチパネル式メイン表示部１７も、前記サブ表示部１５と同様に、タッチ位置検出装置と表示装置が一体となった構造であり、そのバックライト付きカラー液晶表示画面１７ｄに透明タッチパネル１７ｔを重ねて構成される。
【００２３】
一方、前記電子単語帳３０は、以下に説明する電子単語帳専用の携帯機器として構成されるか、携帯電話、電子ブック、携帯ゲーム機等として構成される。
【００２４】
この電子単語帳３０は、例えばカードサイズの本体ケースを有し、その正面の左端に沿って縦長のキー入力部３１が備えられ、それ以外の領域に表示部３２が備えられる。
【００２５】
前記キー入力部３１には、前記表示部３２に表示される履歴データや単語帳データを、次のデータに送る［送り］キー３１ａ、前のデータに戻す［戻り］キー３１ｂ、表示中の単語帳データの単語のチェックボックスｂｃにチェックデータを書き込んだり消去したりするための［チェック］キー３１ｃ、表示中のデータの読み上げ音声を出力させるための［音声］キー３１sが備えられる。
【００２６】
図２は、前記電子辞書１０の電子回路の構成を示すブロック図である。
【００２７】
図３は、前記電子単語帳３０の電子回路の構成を示すブロック図である。
【００２８】
前記電子辞書１０の電子回路は、各種の記録媒体に記録されたプログラムを読み込んで、その読み込んだプログラムによって動作が制御されるコンピュータによって構成され、その電子回路には、ＣＰＵ(central processing unit)２１が備えられる。
【００２９】
このＣＰＵ２１は、記憶装置２２内に予め記憶された辞書制御プログラム２２ａ、あるいはＲＯＭカードなどの外部記録媒体２３から記録媒体読み取り部２４を介して前記記憶装置２２に読み込まれた辞書制御プログラム２２ａ、あるいはインターネットＮ上のＷｅｂサーバ（この場合はプログラムサーバ）５０から通信部３５を介して前記記憶装置２２に読み込まれた辞書制御プログラム２２ａに応じて、ＲＡＭ２６を作業用メモリとして回路各部の動作を制御する。
【００３０】
前記記憶装置２２に記憶された辞書制御プログラム２２ａは、前記キー入力部１４、タッチパネル式サブ表示部１５、タッチパネル式メイン表示部１７からのユーザ操作に応じた入力信号、あるいは通信部２５を介して接続されるインターネットＮ上の各Ｗｅｂサーバ５０…や前記電子単語帳３０との通信信号に応じて起動される。
【００３１】
このように、前記ＣＰＵ２１には、前記記憶装置２２、記録媒体読み取り部２４、通信部２５、ＲＡＭ２６、キー入力部１４、タッチパネル式サブ表示部１５、音声出力部１６、タッチパネル式メイン表示部１７が接続される。
【００３２】
前記記憶装置２２には、辞書制御プログラム２２ａとして、当該電子辞書１０の全体の動作を司るシステムプログラム、通信部２５を介してインターネットＮ上の各Ｗｅｂサーバ５０…や図示しないユーザＰＣ(Personal Computer)、前記電子単語帳３０などとデータ通信するための通信プログラム等が記憶される。また、前記辞書制御プログラム２２ａとして、検索語入力処理、検索語に対応した見出し語検索処理、検索見出し語のプレビュー付き一覧表示処理、選択された見出し語に対応する語義・用例・解説などの各種説明情報の読み出し表示処理、検索履歴[ヒストリ]の登録・読み出し処理、当該検索履歴として登録された履歴データを前記電子単語帳３０に送信する処理、単語帳の登録・読み出し処理、当該単語帳として登録された単語帳データを前記電子単語帳３０に送信する処理、前記電子単語帳３０にて更新された単語帳データを受信する処理など、同記憶装置２２内の辞書データベース２２ｂ、履歴データ２２ｃ、単語帳データ２２ｄに基づく検索・登録・読み出し・表示・送受信処理全般を制御するための辞書検索プログラムが記憶される。
【００３３】
前記辞書データベース２２ｂには、例えば、国語辞典、英和辞典、和英辞典、英英辞典、百科事典等の各種の辞書が記憶される。
【００３４】
図４は、前記電子辞書１０の辞書データベース２２ｂに記憶された英和辞典の内容を示す図である。
【００３５】
この英和辞典の辞書データとしては、アルファベット順にした各英単語の見出し語とその日本語の意味などからなる説明情報がその発音の音声データと共に記憶され、当該各英単語は固有の識別番号ＩＤに対応付けられて記憶される。
【００３６】
なお、前記英和辞典以外の各種の辞書データも、基本的には当該英和辞典と同様に、各見出し語とその説明情報が固有の識別番号ＩＤに対応付けられたデータ構造として記憶される。
【００３７】
図５は、前記電子辞書１０に記憶された履歴データ２２ｃの内容を示す図である。
【００３８】
前記履歴データ２２ｃは、本装置の辞書検索機能により実際に検索され、対応する説明情報が表示された見出し語（単語）が、検索対象となった辞書毎に順次蓄積されて記憶されるもので、当該見出し語は前記辞書データ（図４参照）に記憶された識別番号ＩＤとして記憶される。
【００３９】
図６は、前記電子辞書１０に記憶された単語帳データ２２ｄの内容を示す図である。
【００４０】
前記単語帳データ２２ｄは、前記辞書データベース２２ｂに記憶された辞書の見出し語のうち、ユーザが学習対象として登録操作した見出し語（単語）がチェックデータＣＫと共に記憶されるもので、当該見出し語も前記辞書データ（図４参照）に記憶された識別番号ＩＤとして記憶される。なお、前記チェックデータＣＫは、例えば該当する見出し語（単語）をユーザが覚えたか否をユーザが確認するために当該ユーザ自身の操作によって入力または消去されて記憶される。また、前記単語帳データ２２ｄは、前記辞書データベース２２ｂに記憶された辞書の種類毎あるいはユーザ任意の分類別に生成される。
【００４１】
前記ＲＡＭ２６には、入力データメモリ２６ａ、メイン画面データメモリ２６ｂ、サブ画面データメモリ２６ｃなどが確保される。
【００４２】
前記入力データメモリ２６ａには、前記キー入力部１４、各タッチパネル１５ｔ，１７ｔのユーザ操作に応じた個々の入力データが逐次記憶される。
【００４３】
前記メイン画面データメモリ２６ｂには、前記タッチパネル式メイン表示部１６の画面に表示させる表示データがビットマップパターンに展開されて記憶される。
【００４４】
前記サブ画面データメモリ２６ｃには、前記タッチパネル式サブ表示部１５の画面に表示させる表示データがビットマップパターンに展開されて記憶される。
【００４５】
そして、この電子辞書１０は、通常の辞書機能として、検索語の文字を１文字ずつ入力する毎に、当該入力された文字列と前方一致する見出し語を検索するインクリメンタルサーチ機能、このインクリメンタルサーチに伴い前記検索語と前方一致した一連の見出し語を一覧表示させる見出し語一覧表示機能、前記一覧表示された各見出し語のうちカーソルにより選択された見出し語に対応する説明情報を確認表示させるプレビュー表示機能、このプレビュー表示された見出し語の説明情報を全画面に展開して表示させる説明情報表示機能、この説明情報が表示された見出し語を履歴として登録する履歴（ヒストリ）機能、検索された見出し語をユーザ操作に応じて登録する単語帳機能等を有し、加えて、前記電子単語帳３０と通信接続し、前記履歴データ２２ｃや単語帳データ２２ｄを送信する履歴・単語帳送信機能、当該電子単語帳３０にて更新された単語帳データを受信し本電子辞書１０側の単語帳データ２２ｄを更新する単語帳受信機能を有する。
【００４６】
このように構成された電子辞書１０は、前記ＣＰＵ２１が前記辞書制御プログラム２２ａ（検索語入力処理、見出し語検索処理、プレビュー付き見出し語一覧表示処理、選択見出し語の説明情報表示処理、検索履歴の登録処理、単語帳の登録処理、履歴・単語帳の送信処理、単語帳の受信処理等を実行するためのプログラムを含む）に記述された命令に従い回路各部の動作を制御し、ソフトウエアとハードウエアとが協働して動作することにより、以下の動作説明で述べる機能を実現する。
【００４７】
一方、前記電子単語帳３０の電子回路は、図３に示すように、プログラムによって動作が制御されるコンピュータによって構成され、その電子回路には、ＣＰＵ４１が備えられる。
【００４８】
このＣＰＵ４１は、記憶装置４２内に予め記憶された単語帳制御プログラム４２ａに応じて、ＲＡＭ４４を作業用メモリとして回路各部の動作を制御する。なお、単語帳制御プログラム４２ａは、電子単語帳３０に電子辞書１０以外と通信可能な外部インターフェースを備えさせた場合には、ＲＯＭカードなどの外部記録媒体やインターネットＮ上のＷｅｂサーバ（この場合はプログラムサーバ）５０から前記記憶装置４２に読み込むようにすることができる。
【００４９】
前記記憶装置４２に記憶された単語帳制御プログラム４２ａは、前記キー入力部３１からのユーザ操作に応じた入力信号、あるいは前記通信部４３を介して接続される前記電子辞書１０との通信信号に応じて起動される。
【００５０】
このように、前記ＣＰＵ４１には、前記記憶装置４２、通信部４３、ＲＡＭ４４、キー入力部３１、表示部３２、音声出力部４５（イヤホン４５ｅ）が接続される。
【００５１】
前記記憶装置４２には、前記単語帳制御プログラム４２ａとして、当該電子単語帳３０の全体の動作を司るシステムプログラム、前記通信部４３を介して前記電子辞書１０とデータ通信するための通信プログラム等が記憶される。また、前記単語帳制御プログラム４２ａとして、前記電子辞書１０との通信接続に伴い、当該電子辞書１０から送信された履歴データ２２ｃ（図５参照）や単語帳データ２２ｄ（図６参照）を受信して前記記憶装置４２に記憶させるためのデータ受信処理、前記記憶装置４２に記憶された履歴データ４２ｃ（２２ｃ）を順番に表示させる履歴データ表示処理、前記記憶装置４２に記憶された単語帳データ４２ｄ（２２ｄ）を順番に表示させる共に前記チェックデータＣＫの付加／消去を行う単語帳データ表示処理、前記チェックデータＣＫが付加／消去されて更新された単語帳データ４２ｄを前記電子辞書１０へ送信する単語帳データ送信処理など、同記憶装置４２内の辞書データベース４２ｂ、履歴データ４２ｃ、単語帳データ４２ｄに基づく表示・送受信処理全般を制御するためのデータ処理プログラムが記憶される。
【００５２】
前記辞書データベース４２ｂ（図４参照）には、例えば、国語辞典、英和辞典、和英辞典、英英辞典等の各種の辞書が、前記電子辞書１０に集録された通常の辞書データにおける発音記号、用例、解説、括弧書きのデータなどを省略した簡略辞書として記憶される。
【００５３】
前記履歴データ４２ｃ（図５参照）としては、前記電子辞書１０から受信された履歴データ２２ｃがその都度上書きされて記憶される。
【００５４】
前記単語帳データ４２ｄ（図６参照）としては、前記電子辞書１０から送信された単語帳データ２２ｄが各単語に対応付けられたチェックデータＣＫと共に記憶される。
【００５５】
前記ＲＡＭ４４には、前記表示部３２に表示させるべき表示データが記憶される表示データメモリ４４ａなどが確保される。
【００５６】
このように構成された電子単語帳３０は、前記ＣＰＵ４１が前記単語帳制御プログラム４２ａ（データ受信処理、履歴データ表示処理、単語帳データ表示処理、単語帳データ送信処理等を実行するためのプログラムを含む）に記述された命令に従い回路各部の動作を制御し、ソフトウエアとハードウエアとが協働して動作することにより、以下の動作説明で述べる機能を実現する。
【００５７】
次に、前記構成の電子単語帳システムの動作について説明する。
【００５８】
図７は、前記電子辞書１０の単体での処理を示すフローチャートである。
【００５９】
図８は、前記電子辞書１０の前記電子単語帳３０との通信接続に伴う処理を示すフローチャートである。
【００６０】
図９は、前記電子辞書１０の単体での処理に伴う説明情報表示画面Ｇ１を示す図である。
【００６１】
前記電子辞書１０において、前記キー入力部１４の操作に応じてユーザ所望の辞書（例えば［英和辞典］）が選択されると（ステップＳ１）、当該選択された辞書に応じた検索語入力画面（図示せず）が前記メイン表示部１７に表示される（ステップＳ２）。
【００６２】
この検索語入力画面において、所望の検索語、例えば「wine」が入力されると（ステップＳ２）、入力された検索語に対応した見出し語「wine」が前記辞書データベース２２ｄ内の前記選択された辞書［英和辞典］２２ｂから検索され、当該検索された見出し語「wine」に対応した説明情報が、例えば図９に示すように説明情報表示画面Ｇ１として前記メイン表示部１７に表示される（ステップＳ３）。
【００６３】
こうして、前記検索された見出し語（単語）「wine」に対応した説明情報表示画面Ｇ１が表示されると、当該見出し語（単語）がその識別番号ＩＤによって履歴データ２２ｃに登録される（ステップＳ４）。
【００６４】
そして、前記検索された見出し語（単語）を所望の単語帳に登録したい場合に、前記メイン表示部１７の左端に沿って表示されているアイコン入力エリア１７ａの［単語帳］アイコンＴがタッチされ単語帳への登録が指示されると（ステップＳ５（Ｙｅｓ））、複数種類の単語帳の一覧が表示される。この単語帳の一覧から所望の単語帳が指定されると（ステップＳ６）、当該指定された単語帳に対応した単語帳データ２２ｄに、前記検索された見出し語（単語）がその識別番号ＩＤによって登録される（ステップＳ７）。
【００６５】
この後、更に見出し語検索を行う場合には（ステップＳ８（Ｙｅｓ））、ステップＳ２に戻り、ユーザにより次の検索語が入力され、前記同様の処理が行われる。
【００６６】
図１０は、前記電子辞書１０の単体での処理に伴う単語帳表示画面Ｇ２を示す図である。
【００６７】
前記キー入力部１４あるいは前記アイコン入力エリア１７ａのユーザ操作に応じて所望の単語帳が指定されると、当該指定の単語帳データ２２ｄに登録されている各見出し語（単語）が読み出され、例えば図１０に示すように、登録単語一覧画面Ｇ２としてメイン表示部１７に表示される。
【００６８】
この指定の単語帳データ２２ｄに対応する登録単語一覧画面Ｇ２では、反転カーソルＨ１により選択表示された見出し語（単語）に対応した説明情報のプレビュー表示ＰＶが共に行われる。
【００６９】
そして、前記反転カーソルＨ１により選択表示された見出し語（単語）について、例えば当該見出し語とその意味をユーザが覚えたことにより、前記アイコン入力エリア１７ａの［チェック］アイコンＣがタッチされると、同見出し語の先頭に表記されたチェックボックスｂｃにチェックマークが入力されて表示され、該当する単語帳データ２２ｄの見出し語（単語）に対応してチェックデータＣＫが付加される。
【００７０】
次に、図８を用いて、前記電子辞書１０の前記電子単語帳３０との通信接続に伴う処理を説明する。
【００７１】
図１１は、前記電子辞書１０において前記電子単語帳３０との通信処理に伴い表示されるメニュー画面を示す図である。なお、以下では「英和辞典」を利用した単語帳の利用形態を例に説明するが、他の辞書において同様の動作が行われる。
【００７２】
前記電子辞書１０において、前記電子単語帳３０との通信モードに設定され、前記通信部２５を介して当該電子単語帳３０と接続されたと判断されると（ステップＡ１）、図１１（Ａ）に示すように、前記電子単語帳３０との間で通信対象とする項目の選択を促す通信メニューＭ１がメイン表示部１７に表示される（ステップＡ２）。
【００７３】
前記通信メニューＭ１には、前記単語帳データを通信対象とする項目［単語帳］Ｓｔと前記履歴データを通信対象とする項目［履歴］Ｓｈとが表示される。ここで、その項目［単語帳］Ｓｔがユーザ操作に応じて選択されると（ステップＡ３（単語帳））、図１１（Ｂ）に示すように、前記単語帳についての項目の選択を促す単語帳メニューＭ２が表示される（ステップＡ４）。
【００７４】
前記単語帳メニューＭ２には、本電子辞書１０の単語帳データ２２ｄの送りを指定する項目［見出し語／チェックを送る］Ｔｔと前記電子単語帳３０からその単語帳データ４２ｄの戻しを指定する項目［チェックを戻す］Ｔｒとが表示される。ここで前記項目［見出し語／チェックを送る］Ｔｔが選択されると（ステップＡ５（送る））、前記単語帳データ２２ｄ（図６参照）として記憶された見出し語（単語）の識別番号ＩＤとそのチェックデータＣＫが前記通信部２５から前記電子単語帳３０に送信される（ステップＡ６）。
【００７５】
また、前記図１１（Ｂ）で示した単語帳メニューＭ２において、その項目［チェックを戻す］Ｔｒが選択されると（ステップＡ５（戻す））、前記電子単語帳３０にその単語帳データ４２ｄの戻しを指示するリモート信号が送信された後、これに応答して当該電子単語帳３０から送信された単語帳データ４２ｄ（図６参照）である見出し語（単語）の識別番号ＩＤとそのチェックデータＣＫが受信される（ステップＡ７）。そして、本電子辞書１０内の単語帳データ２２ｄにおいて、前記電子単語帳３０から受信された見出し語（単語）の識別番号ＩＤに対応するところのチェックデータＣＫが更新される（ステップＡ８）。
【００７６】
また、前記図１１（Ａ）で示した通信メニューＭ１において、前記項目［履歴］Ｓｈが選択されると（ステップＡ３（履歴））、前記履歴データ２２ｃ（図５参照）として記憶された各見出し語（単語）の識別番号ＩＤが前記通信部２５から前記電子単語帳３０に送信される（ステップＡ９）。
【００７７】
図１２は、前記電子単語帳３０の前記電子辞書１０との通信接続に伴う処理を示すフローチャートである。
【００７８】
前記電子単語帳３０において、前記電子辞書１０が通信モードに設定されることにより当該電子辞書１０から送信されるリモート信号により通信モードに設定され、前記通信部４３を介して前記電子辞書１０と接続されたと判断されると（ステップＰ１）、当該電子辞書１０の通信処理（図８：Ａ９）に従い送信された履歴データ２２ｃが受信されたか否か（ステップＰ２）、同電子辞書１０の通信処理（図８：Ａ６）に従い送信された単語帳データ２２ｄが受信されたか否か（ステップＰ４）、同電子辞書１０の通信処理（図８：Ａ５（戻す））に従い送信された単語帳データ４２ｄの戻しを指示するリモート信号が受信されたか否か（ステップＰ６）、が判断される。
【００７９】
ここで、前記電子辞書１０から送信された履歴データ２２ｃ（図５参照）が受信されたと判断されると（ステップＰ２（Ｙｅｓ））、当該受信された履歴データ２２ｃが前記記憶装置４２内の履歴データ４２ｃに上書きされて記憶される（ステップＰ３）。
【００８０】
また、前記電子辞書１０から送信された単語帳データ２２ｄ（図６参照）が受信されたと判断されると（ステップＰ４（Ｙｅｓ））、当該受信された単語帳データ２２ｄが前記記憶装置４２内の単語帳データ４２ｄに更新されて記憶される（ステップＰ５）。
【００８１】
また、前記電子辞書１０から送信された前記単語帳データ４２ｄの戻しを指示するリモート信号が受信されたと判断されると（ステップＰ６（Ｙｅｓ））、当該単語帳データ４２ｄである各見出し語（単語）の識別番号ＩＤとそのチェックデータＣＫが送信される（ステップＰ７）。
【００８２】
図１３は、前記電子単語帳３０の単体での処理を示すフローチャートである。
【００８３】
前記電子単語帳３０において、電源の投入により動作が開始されると、前記記憶装置４２に記憶された履歴データ４２ｃを表示させるか単語帳データ４２ｄを表示させるかのユーザの選択を促すデータ選択メニュー（図示せず）が表示部３２に表示される（ステップＱ１）。
【００８４】
図１４は、前記電子単語帳３０の記憶装置４２に記憶された履歴データ４２ｃの表示動作を示す図である。
【００８５】
前記表示部３２に表示されたデータ選択メニュー（図示せず）おいて、前記履歴データ４２ｃの表示が選択されると（ステップＱ２（履歴））、履歴データの単語が順番に表示される（ステップＱ３）。つまり、当該履歴データ４２ｃ（図５参照）として記憶された各見出し語（単語）の識別番号ＩＤに対応して辞書データベース４２ｂから読み出された見出し語（単語）とその説明情報が、［送り］キー３１ａの操作に応じて、図１４に示すように、最新の登録見出し語から順番に表示部３２に表示される（ステップＱ３，Ｑ４）。なお、［戻り］キー３１ｂが操作された場合は先に登録された見出し語から逆順に表示される。
【００８６】
この際、前記表示部３２に表示された見出し語（単語）やその説明情報は、［音声］キー３１ｓの操作に応じて、音声出力部４５からイヤホン４５ｅによりその読み上げ音声として出力できる。
【００８７】
図１５は、前記電子単語帳３０の記憶装置４２に記憶された単語帳データ４２ｄの表示動作を示す図である。
【００８８】
前記表示部３２に表示されたデータ選択メニュー（図示せず）おいて、前記単語帳データ４２ｄの表示が選択されると（ステップＱ２（単語帳））、当該単語帳データ４２ｄ（図６参照）として記憶された各見出し語（単語）の識別番号ＩＤに対応して辞書データベース４２ｂから読み出された見出し語（単語）とその説明情報が、［送り］キー３１ａの操作に応じて、図１５（Ａ）（Ｂ）に示すように、［見出し語］→［説明情報］→次の［見出し語］…の順番で表示部３２に表示される（ステップＱ５〜Ｑ７）。なお、［戻り］キー３１ｂが操作された場合は先に登録された見出し語から逆順に表示される。
【００８９】
この際、前記表示された単語帳データ４２ｄの見出し語とその説明情報について、［チェック］キー３１ｃが操作されると、表示中の見出し語あるいは説明情報と共に表記されているチェックボックスｂｃに対して、チェックマークが未入力である場合には、図１５（Ｃ）に示すようにチェックマークが入力されて変更され、また、チェックマークが既に入力されている場合には、そのチェックマークが消去されて変更される。そして、前記単語帳データ４２ｄにおいて当該見出し語（ＩＤ）に対応付けられたチェックデータＣＫが更新される（ステップＱ６）。
【００９０】
したがって、前記構成の電子単語帳システムによれば、前記電子辞書１０により生成された履歴データ２２ｃと単語帳データ２２ｄを、前記電子単語帳３０に送信してその記憶装置４２に記憶させ、当該電子単語帳３０において、前記記憶装置４２に記憶された履歴データ２２ｃの各見出し語（単語）とその説明情報を順番に読み出して表示し、また、同記憶装置４２に記憶された単語帳データ４２ｄの各見出し語（単語）とその説明情報とを順番に読み出して表示する。そして、前記単語帳データ４２ｄの各見出し語については、当該見出し語やその説明情報と共に表示されるチェックボックスｂｃに対して、例えばユーザによって覚えたか否かに応じてチェックマークを入力したり消去したりでき、該当するチェックデータＣＫを変更した単語帳データ４２ｄを、前記電子辞書１０に戻して元の単語帳データ２２ｄのチェックデータＣＫを更新できる。
【００９１】
よって、使い勝手や操作性のより高い電子単語帳システムを提供できる。
【００９２】
また、前記構成の電子単語帳システムによれば、前記電子辞書１０と前記電子単語帳３０とを通信接続させると、当該電子辞書１０において通信対象の選択をユーザに促す通信メニューＭ１が表示され、その選択項目である［単語帳］Ｓｔまたは［履歴］Ｓｈが選択されると、当該選択された前記単語帳データ２２ｄまたは履歴データ２２ｃが前記電子単語帳３０へ送信される。
【００９３】
なお、前記実施形態では、前記電子辞書１０の記憶装置２２に記憶される履歴データ２２ｃについて、図５で示したように、見出し語検索されてその説明情報の表示が行われた見出し語（単語）に対応する識別番号ＩＤとして登録する構成とした。
【００９４】
これに対し、次の他の実施形態で説明するように、前記履歴データ２２ｃとして登録する見出し語（単語）に対応した識別番号ＩＤには、それぞれその登録日時のデータを付加しておくことで、前記電子単語帳３０との通信接続に伴い当該電子単語帳３０に既に送信した履歴データと未送信の履歴データとを区別可能にしてもよい。
【００９５】
（他の実施形態）
図１６は、前記電子辞書１０に記憶された他の実施形態の履歴データ２２ｃ´の内容を示す図である。
【００９６】
図１７は、前記電子辞書１０の前記電子単語帳３０との通信接続に伴う他の実施形態の処理を示すフローチャートである。
【００９７】
すなわち、前記電子辞書１０の単独での処理において（図７参照）、ユーザ所望の検索語に対応した見出し語（単語）が検索されその説明情報表示画面Ｇ１（図９参照）が表示されると（ステップＳ１〜Ｓ３）、図１６に示すように、当該見出し語（単語）に対応した識別番号ＩＤが履歴データ２２ｃ´として登録されると共に、その登録日時も付加されて登録される。
【００９８】
そして、前記電子単語帳３０との通信接続に伴う処理（図８参照）において、前記通信メニューＭ１（図１１（Ａ）参照）から前記履歴データ２２ｃ´を送信するための項目［履歴］Ｓｈが選択されると（ステップＡ１〜Ａ３（履歴））、前回送信済みの見出し語（ＩＤ）の登録日時より後の登録日時が付加されている見出し語（ＩＤ）が読み出され（ステップＡ９ａ）、前記電子単語帳３０に送信されて記憶される（ステップＡ９ｂ）。
【００９９】
そして、今回送信された最新の見出し語（ＩＤ）に付加されている登録日時が、前記前回送信済みの見出し語（ＩＤ）の登録日時として更新される（ステップＡ９ｃ）。
【０１００】
したがって、この他の実施形態の電子単語帳システムによれば、前記電子辞書１０において、前記電子単語帳３０との通信接続に伴いその通信対象の履歴データ２２ｃ´を選択して送信する際には、当該履歴データ２２ｃ´の全見出し語（ＩＤ）をその都度送信する必要はなく、前回の送信時以降に新たに登録された見出し語（ＩＤ）だけを送信すればよくなり、このデータ送信に関わる負荷を軽減できる。
【０１０１】
なお、前記各実施形態において記載した電子単語帳システムによる各処理の手法、すなわち、図７のフローチャートに示す前記電子辞書１０による単独での処理、図８のフローチャートに示す前記電子辞書１０による前記電子単語帳３０との通信接続に伴う処理、図１２のフローチャートに示す前記電子単語帳３０による前記電子手帳１０との通信接続に伴う処理、図１３のフローチャートに示す前記電子単語帳３０による単独での処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録装置の媒体に格納して配布することができる。そして、辞書機能を備えた電子機器（１０）のコンピュータ（制御装置）や当該電子機器（１０）と通信接続可能な携帯機器（３０）のコンピュータ（制御装置）は、この外部記憶装置の媒体に記憶されたプログラムを記憶装置に読み込み、この読み込んだプログラムによって動作が制御されることにより、前記各実施形態において説明した電子単語帳システムの機能を実現し、前述した手法による同様の処理を実行することができる。
【０１０２】
また、前記各手法を実現するためのプログラムのデータは、プログラムコードの形態として通信ネットワーク（Ｎ）上を伝送させることができ、この通信ネットワーク（Ｎ）に接続されたコンピュータ装置（プログラムサーバ）から前記プログラムのデータを、前記辞書機能を備えた電子機器（１０）や当該電子機器（１０）と通信接続可能な携帯機器（３０）に取り込んで記憶装置に記憶させ、前述した電子単語帳システムを実現することもできる。
【０１０３】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１０４】
以下に、本願出願の当初の特許請求の範囲に記載された発明を付記する。
【０１０５】
［１］
電子辞書と当該電子辞書と通信可能な携帯型表示装置からなる電子辞書システムであって、
前記電子辞書は、
見出し語とその説明情報とを対応付けた辞書データを記憶する辞書記憶手段と、
ユーザ操作に応じて前記辞書データの見出し語を検索した際に当該検索された見出し語の履歴データを記憶する履歴データ記憶手段と、
ユーザによって選択された見出し語と当該見出し語に対する確認データとを対応付けた単語帳データを記憶する単語帳データ記憶手段と、
前記履歴データ記憶手段により記憶された履歴データと前記単語帳記憶手段により記憶された単語帳データとを前記携帯型表示装置に送信するデータ送信手段とを備え、
前記携帯型表示装置は、
前記電子辞書のデータ送信手段により送信された履歴データと単語帳データとを受信して記憶するデータ記憶手段と、
このデータ記憶手段により記憶された履歴データをユーザ操作に応じて表示部に表示させる履歴表示制御手段と、
前記データ記憶手段により記憶された単語帳データをユーザ操作に応じて表示部に表示させる単語帳表示制御手段と、
この単語帳表示制御手段により前記表示部に表示された単語帳データの見出し語を対象にユーザ操作に応じて当該見出し語に対する前記確認データを変更する確認データ変更手段と、
前記データ記憶手段により記憶された単語帳データを前記確認データ変更手段により変更された前記確認データを反映させた状態で前記電子辞書に送信する単語帳データ戻し手段とを備えた、
ことを特徴とする電子辞書システム。
【０１０６】
［２］
前記電子辞書は、
前記携帯型表示装置の単語帳データ戻し手段により送信された単語帳データを受信し当該受信された単語帳データに応じて前記単語帳記憶手段に記憶された単語帳データを更新する単語帳更新手段を備えた、
ことを特徴とする［１］に記載の電子辞書システム。
【０１０７】
［３］
前記電子辞書のデータ送信手段は、前記履歴データ記憶手段により記憶された履歴データと前記単語帳記憶手段に記憶された単語帳データとを通信対象としてユーザに選択させる通信選択手段を有し、この通信選択手段により選択されたデータを前記携帯型表示装置に送信する、
ことを特徴とする［１］または［２］に記載の電子辞書システム。
【０１０８】
［４］
前記電子辞書の履歴データ記憶手段は、ユーザ操作に応じて前記辞書データの見出し語を検索した際に当該検索された見出し語の履歴データを時間情報に対応付けて記憶し、
前記データ送信手段により前記履歴データ記憶手段に記憶された履歴データを前記携帯型表示装置に送信した際に、その送信済みの履歴データに対応付けられた前記時間情報を当該送信済みの時間情報として更新する送信済み更新手段を備え、
前記データ送信手段は、前記履歴データ記憶手段に記憶された履歴データを送信する際に、前記送信済み更新手段により送信済みとして更新された時間情報より後の時間情報に対応付けられた履歴データを前記携帯型表示装置に送信する、
ことを特徴とする［３］に記載の電子辞書システム。
【０１０９】
［５］
携帯型表示装置と通信可能な電子辞書であって、
見出し語とその説明情報とを対応付けた辞書データを記憶する辞書記憶手段と、
ユーザ操作に応じて前記辞書データの見出し語を検索した際に当該検索された見出し語の履歴データを記憶する履歴データ記憶手段と、
ユーザによって選択された見出し語と当該見出し語に対する確認データとを対応付けた単語帳データを記憶する単語帳記憶手段と、
前記履歴データ記憶手段により記憶された履歴データと前記単語帳記憶手段により記憶された単語帳データとを前記携帯型表示装置に送信するデータ送信手段と、
を備えたことを特徴とする電子辞書。
【０１１０】
［６］
ユーザ操作に応じて辞書データの見出し語を検索した際に当該検索された見出し語の履歴データを記憶する履歴データ記憶手段と、ユーザによって選択された見出し語と当該見出し語に対する確認データとを対応付けた単語帳データを記憶する単語帳記憶手段と、前記履歴データ記憶手段により記憶された履歴データと前記単語帳記憶手段により記憶された単語帳データとを有する電子辞書と通信可能な携帯型表示装置であって、
前記電子辞書から送信された履歴データと単語帳データとを受信して記憶するデータ記憶手段と、
このデータ記憶手段により記憶された履歴データをユーザ操作に応じて表示部に表示させる履歴表示制御手段と、
前記データ記憶手段により記憶された単語帳データをユーザ操作に応じて表示部に表示させる単語帳表示制御手段と、
この単語帳表示制御手段により前記表示部に表示された単語帳データの見出し語を対象にユーザ操作に応じて当該見出し語に対する確認データを変更する確認データ変更手段と、
前記データ記憶手段により記憶された単語帳データを前記確認データ変更手段により変更された前記確認データを反映させた状態で前記電子辞書に送信する単語帳データ戻し手段と、
を備えたことを特徴とする携帯型表示装置。
【０１１１】
［７］
ユーザ操作に応じて辞書データの見出し語を検索した際に当該検索された見出し語の履歴データを記憶する履歴データ記憶手段と、ユーザによって選択された見出し語と当該見出し語に対する確認データとを対応付けた単語帳データを記憶する単語帳記憶手段とを有する電子辞書と通信可能な電子機器のコンピュータを制御するためのプログラムであって、
前記コンピュータを、
前記電子辞書から送信された履歴データと単語帳データとを受信して記憶部に記憶するデータ記憶手段、
このデータ記憶手段により記憶された履歴データをユーザ操作に応じて表示部に表示させる履歴表示制御手段、
前記データ記憶手段により記憶された単語帳データをユーザ操作に応じて表示部に表示させる単語帳表示制御手段、
この単語帳表示制御手段により前記表示部に表示された単語帳データの見出し語を対象にユーザ操作に応じて当該見出し語に対する確認データを変更する確認データ変更手段、
前記データ記憶手段により記憶された単語帳データを前記確認データ変更手段により変更された前記確認データを反映させた状態で前記電子辞書に送信する単語帳データ戻し手段、
として機能させるためのコンピュータ読み込み可能なプログラム。
【符号の説明】
【０１１２】
１０  …電子辞書
１４  …キー入力部（辞書）
１５  …タッチパネル式サブ表示部
１６  …音声出力部
１７  …タッチパネル式メイン表示部
３０  …携帯型表示装置（電子単語帳）
３１  …キー入力部（単語帳）
３１ａ…［送り］キー
３１ｂ…［戻し］キー
３１ｃ…チェックキー
３１ｓ…［音声］キー
２１，４１…ＣＰＵ
２２，４２…記憶装置
２２ａ…辞書制御プログラム
４２ａ…単語帳制御プログラム
２２ｂ…辞書データベース
４２ｂ…辞書データベース（簡略辞書）
２２ｃ，４２ｃ…履歴データ
２２ｄ，４２ｄ…単語帳データ
２３  …外部記録媒体
２４  …記録媒体読み取り部
２５，４３…通信部
２６，４４  …ＲＡＭ
５０  …Ｗｅｂサーバ
Ｎ    …通信ネットワーク
【図１】
2015103185.tif 000003
【図２】
2015103185.tif 000004
【図３】
2015103185.tif 000005
【図４】
2015103185.tif 000006
【図５】
2015103185.tif 000007
【図６】
2015103185.tif 000008
【図７】
2015103185.tif 000009
【図８】
2015103185.tif 000010
【図９】
2015103185.tif 000011
【図１０】
2015103185.tif 000012
【図１１】
2015103185.tif 000013
【図１２】
2015103185.tif 000014
【図１３】
2015103185.tif 000015
【図１４】
2015103185.tif 000016
【図１５】
2015103185.tif 000017
【図１６】
2015103185.tif 000018
【図１７】
2015103185.tif 000019